(57)【特許請求の範囲】
【請求項１】
詰替えパックの前側を覆う前体と後側を覆う後体を開閉可能に設け、
前体と後体は、突合わせた閉鎖状態において容器形状を形成すると共に、上から下に向かって順に、
液体噴射ポンプを取付けるホルダ口部と、
詰替えパックの上部を前後から挟持するホルダ肩部と、
詰替えパックの周囲を覆うホルダ胴部と、
詰替えパックを載せるホルダ底部と、を備え、且つ閉鎖状態を保持するロック部を設けてあり、
ホルダ口部は、前体の前口部と後体の後口部とが突き合わさって円筒状を形成し、
ホルダ肩部は、前体の前肩部と後体の後肩部とから構成され、前肩部及び後肩部は突合せ面の前側に前挟持部を、後側に後挟持部を設け、前挟持部と後挟持部によって詰替えパックの上部を挟持するパック挟持部を形成し、
パック挟持部は、平面視した場合に湾曲していることを特徴とする詰替えパックホルダ。
【請求項２】
パック挟持部は、平面視した場合に前側に向かって円弧状に膨らむＵ字状に湾曲し、
ホルダ口部は、平面視Ｕ字状に湾曲するパック挟持部の中間部に位置していることを特徴とする請求項１記載の詰替えパックホルダ。
【請求項３】
ホルダ胴部は、前体の前胴部と後体の後胴部とから構成され、
ホルダ肩部は、パック挟持部の外周側に、ホルダ胴部に連続する隠蔽部を備え、
隠蔽部は、前肩部の前隠蔽部と後肩部の後隠蔽部とから構成され、
前隠蔽部の前辺は、平面視Ｕ字状のパック挟持部より前側に膨らむ円弧状であって、
後隠蔽部の後辺は、パック挟持部の後側を塞ぐ直線状であることを特徴とする請求項２記載の詰替えパックホルダ。
【請求項４】
前体と後体とは、ホルダ底部に設けられた変形可能な連結片によって連続すると共に、合成樹脂製の一体成型品であって、
ホルダ胴部にロック部を設けてあることを特徴とする請求項１、２又は３記載の詰替えパックホルダ。
【請求項５】
前挟持部と後挟持部の対向面の一方側に凸リブ部を、他方側に凸リブ部と噛み合う凹溝部を備えていることを特徴とする請求項１、２、３、又は４記載の詰替えパックホルダ。
【請求項６】
前挟持部と後挟持部の対向面の一方側に凸リブ部を、他方側に凸リブ部と噛み合う凹溝部を備え、
パック挟持部のＵ字状の突合せ面は、左右方向に沿って延長する中央の横延び部と、前後方向に沿って延長する左右の縦延び部と、横延び部と左右の縦延び部を連続する円弧部とから構成され、
凸リブ部と凹溝部は、横延び部と円弧部にのみ形成されることを特徴とする請求項２記載の詰替えパックホルダ。
【発明の詳細な説明】
【技術分野】
【０００１】
本発明は、液体が充填された詰替えパックを内部に収容すると共にホルダ口部に液体噴射ポンプを取り付ける詰替えパックホルダに関する。
【背景技術】
【０００２】
シャンプー、リンス及び洗剤等の液状商品としては、液体噴射ポンプの付いた硬質のボトル状容器に充填されて、販売されているものが周知となっている。これは、液体噴射ポンプを握ったり、押したりして、内溶液を噴射することのできる使い勝手の良いものである。しかし、洗剤等の内容液を使い切るごとに液体噴射ポンプの付いたボトル状容器を廃棄することが問題となった。より具体的に言えば省エネルギーや環境破壊の観点から問題となった。
【０００３】
そこで、廃棄物ができるだけ少なくなるように、洗剤等の内容液を軟質袋状の詰替えパックに充填して販売することも、行われている。これであれば、詰替えパックに入った洗剤等を購入した後に、内容液を詰替えパックから空のボトル状容器に移し替え、ボトル状容器に液体噴射ポンプを取り付けることによって、使い勝手の良い状態になる。他方、ボトル状容器が再度使用可能となり、廃棄物の少量化に貢献する。
【０００４】
ところで、軟質袋状の詰替えパックの内溶液を硬質のボトル状容器に移し替える手間を簡素にするものとして、詰替えパックをそのまま収容することのできる詰替えパックホルダが本願の出願人によって発明され、公知となっている（特許文献１）。
【０００５】
この詰替えパックホルダは、詰替えパックの前側と後側をそれぞれ覆う前半分と後半分を開閉可能に設け、前半分と後半分の閉鎖状態を保持する締結手段が前半分と後半分の左右端部に設けられている。
また、前半分と後半分の閉鎖状態によって形成されるボトル容器形状の部位として、上から下に向かって順に、液体噴射ポンプを取付ける口部と、詰替えパックの上部を前後から挟持する肩部と、詰替えパックの周囲を覆う胴部と、詰替えパックを載せる底部が設けられている。
【０００６】
その上、前半分と後半分には詰替えパックの上部を挟持する単リブと凹溝を、口部から肩部への突合せ面に沿って延長し、肩部の前側と後側との突合せ面が、平面視した場合に、横一直線の状態となっている。この詰替えパックホルダに詰替えパックを収容すると、肩部よりも上に詰替えパックの上辺部が露出するため、通常、その部分を切り落としてから、口部に液体噴射ポンプを固定して最終的に使用していた。
この使用状態を平面視した場合に、詰替えパックの上部切口は、横一直線になる状態で前後から挟持され、封止されている。この挟持によって、詰替えパックホルダが転倒した場合であっても、その中に収容された詰替えパックの上部切口から内容液が漏れないようになっている。
【先行技術文献】
【特許文献】
【０００７】
【特許文献１】特開２００７−１５７６７号公報
【発明の概要】
【発明が解決しようとする課題】
【０００８】
しかしながら、詰替えパックの上部を肩部において横一直線に挟持する形態では、正面視した場合に、詰替えパックホルダの横幅が、詰替えパックの上部よりも必然的に広くならざるを得ない。しかも、肩部は、詰替えパックの上部を挟持する部分の外側に締結手段を設けているので、締結手段の分だけ詰替えパックホルダの横幅が更に広くなった。
【０００９】
また、通常、詰替えパックは、底面が楕円形状で、上辺部が二枚のシートを前後に貼り合わせた平べったい形状となっていることから、元々、底部に比べて上部が幅広の形態となっている。このような幅広形態の詰替えパックを収容するため詰替えパックホルダは、一段と幅広の形態となっていた。したがって、例えば、複数個の詰替えパックホルダを横一列に並べると、その分だけ、設置スペースの横幅を取ることになった。
【００１０】
また、詰替えパックの前後二枚のシートは横一直線に重なり合っているだけなので、この保持形態では詰替えパック自体から、液漏れを防止する力（二枚のシートが前後に重なり合う力）は、生み出されない。それゆえ、二枚のシートを挟む単リブと凹溝を、肩部の横幅方向全長に亘って設けなければならなかった。しかも、単リブと凹溝との嵌合力の基になる締結手段の締結力は、強固にしなければならず、製品設計を困難なものとしていた。
【００１１】
本発明は上記実情を考慮して創作されたもので、その目的は、液漏れ防止効果があることを前提とした上で、少なくとも横幅を狭くすることができる詰替えパックホルダを提供することである。
【課題を解決するための手段】
【００１２】
本発明は、詰替えパックの前側を覆う前体と後側を覆う後体を開閉可能に設け、前体と後体は、突合わせた閉鎖状態において容器形状を形成すると共に、上から下に向かって順に、液体噴射ポンプを取付けるホルダ口部と、詰替えパックの上部を前後から挟持するホルダ肩部と、詰替えパックの周囲を覆うホルダ胴部と、詰替えパックを載せるホルダ底部と、を備え、且つ閉鎖状態を保持するロック部を設けてあり、ホルダ口部は、前体の前口部と後体の後口部とが突き合わさって円筒状を形成し、ホルダ肩部は、前体の前肩部と後体の後肩部とから構成され、前肩部及び後肩部は突き合わせ部分の前側に前挟持部を、後側に後挟持部を設け、前挟持部と後挟持部によって詰替えパックの上部を挟持するパック挟持部を形成し、パック挟持部は、平面視した場合に湾曲していることを特徴とする。
【００１３】
パック挟持部は、平面視してどのように湾曲しているのかは問わない。また、ホルダ口部がパック挟持部のどの位置にあるのかも問わない。但し、詰替えパックホルダの横幅を一段と狭くするには、次のようにすることが望ましい。即ち、請求項２の発明のように、パック挟持部は、平面視した場合に前側に向かって円弧状に膨らむＵ字状に湾曲し、ホルダ口部は、平面視Ｕ字状に湾曲するパック挟持部の中間部に位置していることである。
【００１４】
平面視した場合に、ホルダ肩部やホルダ胴部の形状は問わないが、パック挟持部のＵ字状を利用した形状にするには、次のようにすることが望ましい。即ち、請求項３の発明のように、ホルダ胴部は、前体の前胴部と後体の後胴部とから構成され、ホルダ肩部は、パック挟持部の外周側に、ホルダ胴部に連続する隠蔽部を備え、隠蔽部は、前肩部の前隠蔽部と後肩部の後隠蔽部とから構成され、前隠蔽部の前辺は、平面視Ｕ字状のパック挟持部より前側に膨らむ円弧状であって、後隠蔽部の後辺は、パック挟持部の後側を塞ぐ直線状であることを特徴とする。
【００１５】
前体と後体とは、別体の成型品であるか、一体成型品であるかも問わない。詰替えパックを挟持できる強度があれば、原材料も問わない。また、ロック部を設ける位置も、問わない。ロック部の機能を最も効率よく発揮させられる位置は、ホルダ肩部の左右両端部であるが、ホルダ肩部には、詰替えパックの上部をその下側で前後から挟持するという固有の役割がある。したがって、この固有の役割を果たしながらロック部をホルダ肩部に設けると、ホルダ肩部の横幅が広がり易く、ひいては、詰替えパックホルダの横幅が広くなる。詰替えパックホルダの横幅を抑えながら、ロック部の機能を充分に発揮させ、尚且つ前体と後体の開閉をし易くするには、次のようにすることが望ましい。即ち、請求項４の発明のように、前体と後体とは、ホルダ底部に設けられた変形可能な連結片によって連続すると共に、合成樹脂製の一体成型品であって、ホルダ胴部にロック部を設けてあるものである。
【００１６】
前挟持部と後挟持部の対向面は凹凸のない平らな面であっても良いが、より詰替えパックの上部を封止する機能を発揮するには、次のようにすることが望ましい。即ち、請求項５の発明のように、前挟持部と後挟持部の対向面の一方側に凸リブ部を、他方側に凸リブ部と噛み合う凹溝部を備えていることである。
【００１７】
詰替えパックの上部をその下側で封止する凸リブ部と凹溝部とは、封止という性格上、ホルダ肩部の幅全長に亘って形成することが必須のように思われる。また、凸リブ部と凹溝部の形成長さと、凸リブ部と凹溝部に挟まれる詰替えパックの長さとは対応しているので、長い程、例えば雄部と雌部から構成されるロック部を嵌合させるのに大きな力が必要となる。しかし、詰替えパックの上部切口を充分に封止できるのであれば、凸リブ部と凹溝部の形成長さは短い方がロック部を操作しやすい。
また、詰替えパックの上部がＵ字状に湾曲すると、復元力によって詰替えパックの二枚のシートには自然と前後に重なり合う。この重なり合い具合は、Ｕ字状の左右両側の縦延び部分において特に強いと思われる。それは、Ｕ字状の左右両側の縦延び部分が、最も復元力の作用する部分だからである。したがって、この縦延び部分には、凸リブ部と凹溝を設けなくとも、充分な封止効果が得られる。つまり、請求項６の発明のように、パック挟持部のＵ字状の突合せ面は、左右方向に沿って延長する中央の横延び部と、前後方向に沿って延長する左右の縦延び部と、横延び部と左右の縦延び部を連続する円弧部とから構成され、凸リブ部と凹溝部が、横延び部と円弧部にのみ形成されることである。
【発明の効果】
【００１８】
請求項１の発明は、ホルダ肩部において、前肩部と後肩部との突合せ面の前後に設けられるパック挟持部が平面視して湾曲しているので、パック挟持部に挟まれた詰替えパックの上部も必然的に湾曲する。その結果、従来のように詰替えパックの上部を横一直線に挟持するものに比べれば、正面視した場合に湾曲させた分だけ詰替えパックの横幅が狭くなり、それに伴って詰替えパックホルダの横幅も狭くできる。従って、詰替えパックホルダを何個も並列させた場合にでも、設置スペースを狭くすることが可能となる。
また、詰替えパックの上部をパック挟持部で単に挟んでいるだけでなく、湾曲させてあるので、詰替えパックを構成している前後二枚のシートが強固に重なり合い、上部からの液漏れがし難くなる。
【００１９】
請求項２の発明は、パック挟持部を平面視Ｕ字状に湾曲させてあるので、詰替えパックホルダの横幅を一段と狭くすることが可能となる。また、ホルダ口部がパック挟持部の中間部に位置しているので、パック挟持部の左右両側において詰替えパックの挟持が均一となり、液漏れもし難くなる。
【００２０】
請求項３の発明は、Ｕ字状に湾曲しているパック挟持部の形状を活かして、ホルダ肩部を、パック挟持部の外周側にホルダ胴部に連続する隠蔽部を設けるものとした。そして、前隠蔽部の前辺をＵ字状のパック挟持部より前側に膨らむ円弧状とし、後隠蔽部の後辺をパック挟持部の後側を塞ぐ直線状としてあるので、左右の横幅を狭くすることが可能となり、その上、パック挟持部の形状を巧みに利用した美観に優れたものと言える。
【００２１】
請求項４の発明は、ロック部をホルダ胴部に設けてあるので、ホルダ肩部に設ける場合に比べて、詰替えパックホルダの横幅を抑えることができる。しかも、ホルダ肩部も詰替えパックを挟持するという封止の役割を充分に発揮できる。
【００２２】
請求項５の発明は、前挟持部と後挟持部の対向面の一方側に凸リブ部を、他方側に凸リブ部と噛み合う凹溝部を備えているので、詰替えパックの上部を封止する機能を一段と発揮することができる。
【００２３】
請求項６の発明は、パック挟持部のＵ字状の突合せ面のうち中央部分の横延び部と、その横に連続する円弧部にのみ凸リブ部と凹溝部が形成されるが、最も復元力の作用するＵ字状の左右両側部分では、詰替えパックの二枚のシートが自然と前後に重なり合うので、充分に詰替えパックの封止効果が発揮される。したがって、凸リブ部と凹溝部の形成長さを、ホルダ肩部の全長に亘って設ける場合よりも短くでき、その分だけ弱い力でロック部を嵌合させることできる。即ち、嵌合作業の向上に寄与する。
【図面の簡単な説明】
【００２４】
【図１】本発明による詰替えパックホルダの斜視図である。
【図２】図１の平面図である。
【図３】図１の正面図である。
【図４】図１の底面図である。
【図５】図１の右側面図である。
【図６】図２のＡ−Ａ線拡大断面図である。
【図７】図３のＢ−Ｂ線断面図である。
【図８】図３のＣ−Ｄ−Ｅ−Ｆ線断面図である。
【図９】図３のＧ−Ｇ線断面図である。
【図１０】詰替えパックホルダの展開状態の一部破断内部正面図である。
【図１１】詰め替えパックホルダの展開状態の縦断面図である。
【図１２】（イ）（ロ）図は、詰替えパックを収容する手順の前半部分を示す説明図である。
【図１３】（イ）（ロ）（ハ）図は、詰替えパックを収容する手順の後半部分を示す説明図である。
【図１４】（イ）（ロ）図は、図１３の（ロ）図の途中の手順を示す説明図である。
【図１５】液体噴射ポンプの取付け例を示す説明図である。
【図１６】（イ）（ロ）図は、液体噴射ポンプの取付状態と、その使用状態を示す説明図である。
【発明を実施するための形態】
【００２５】
以下、図面に基づいて本発明の詰替えパックホルダ１を説明する。図１、図９又は図１６に示すように、詰替えパックホルダ１は合成樹脂製の一体成形品で、洗剤等の内溶液が充填された詰替えパック９の外側を覆う開閉可能なものである。そして、詰替えパックホルダ１は、詰替えパック９の前側と後側をそれぞれ覆う非同一形状の前体２と後体３とを備え、前体２と後体３とがこれらの底部で一体に連続すると共に、これらの上部で閉鎖可能に設けられている。
【００２６】
そして、詰替えパックホルダ１は、図１〜図５、又は図１５に示すように、前体２と後体３の閉鎖状態で容器形状を成すものであって、その部位として上から下に向かって順に、詰替えパック９の上部の横幅中央部において液体噴射ポンプ８の固定キャップ８３を取り付けるホルダ口部２０と、ホルダ口部２０の下側に連続する一回り大径のホルダ首部３０と、詰替えパック９の上部を前後から挟持するホルダ肩部４０と、詰替えパック９の周囲を覆うホルダ胴部５０と、詰替えパック９を載せるホルダ底部６０と、を備えている。これら各部位は、前体２と後体３の対応部位を前後に突き合わせることによって形成される。
【００２７】
ホルダ口部２０は図１〜図５に示すように、円筒形状であって、その外周面に沿って雄ネジが螺旋状に形成されたものである。また、円筒を前後に略半分に縦割りした形状（半円筒形状）の前口部２１、後口部２２が前体２と後体３にはそれぞれ形成されている。前口部２１と後口部２２とを突き合わせると、その間には、両詰替えパック９の上辺部である袋口部９２の厚み分の隙間が形成される。図９に示すように前口部２１及び後口部２２の内周面には周方向に沿って延長する円弧状の張出部２３が、上下に間隔をおいてそれぞれ設けられている。
【００２８】
なお、ホルダ首部３０は、ホルダ口部２０に対して、階段状に大径となる円筒状であって、前後に略半分に縦割りした形状の前首部と後首部（何れも符号省略）が、前体２と後体３にそれぞれ形成されている。
【００２９】
ホルダ肩部４０は図１〜図５に示すように、軟質袋状の詰替えパック９の上部を挟みながらその上方を覆う天板である。天板といっても、正面視なで肩形状で、平面視すると、後辺が直線状で、前辺が円弧状）である。そして、このような形状のホルダ肩部４０に対してその左右方向及び前後方向の中央部にホルダ首部３０が位置している。このようなホルダ肩部４０は、前体２の前肩部４１と、後体３の後肩部４２とから構成される。
前肩部４１は、その前辺４１ｃが前側に膨らむ円弧状となっており、その内辺（後辺）が平面視Ｕ字状になっている。
一方、後肩部４２は、その後辺４２ｄが直線状となっており、その内辺（前辺）がＵ字状になっている。これら内辺のＵ字状は、詳しく言うと、Ｕ字状の中心部分がホルダ首部３０の内側に相当する位置で途切れており、ホルダ首部３０の下端からＵ字状の両側部分が左又は右に延長した後に、それぞれ円弧状に湾曲しながら後側に延長し、最後にそれぞれ左右方向の外側に鍔状に短く延長する形状となっている。
【００３０】
また、ホルダ肩部４０は、その部位として、詰替えパック９の上部をＵ字状に前後から挟むパック挟持部４３と、ホルダ胴部５０に連続すると共に詰替えパック９の上方を覆う隠蔽部４４とを備えている。パック挟持部４３に対して隠蔽部４４が段差状に低く且つ外周側を囲む状態に形成されている。
【００３１】
パック挟持部４３は、前肩部４１の前挟持部４３ａと、後肩部４２の後挟持部４３ｂとからＵ字状に構成される。前挟持部４３ａの内面と後挟持部４３ｂの内面（対向面）が、それぞれＵ字状となり、突合せ面４５となる。図１２（イ）に示すように各突合せ面４５は、左右方向に沿って延長する中央の横延び部４５ａと、左右の縦延び部４５ｂと、横延び部４５ａと縦延び部４５ｂを連続する円弧部４５ｃとを備えている。
【００３２】
隠蔽部４４は、図２に示すように前肩部４１の前隠蔽部４４ａと、後肩部４２の後隠蔽部４４ｂとから構成される。前隠蔽部４４ａはパック挟持部４３よりも前側部分を形成し、その前辺４１ｃは前述したように円弧状で、パック挟持部４３よりも前側に膨らんでいる。一方、後隠蔽部４４ｂはパック挟持部４３よりも後側部分を形成し、その後辺４２ｄは前述したように直線状であり、パック挟持部４３の後側を塞いでいる。直線状といっても、図示の例では、厳密な直線ではなく、一見して直線と感じる程度に緩やかに湾曲している。
前隠蔽部４４ａと後隠蔽部４４ｂは、Ｕ字状のパック挟持部４３の両端よりも左右に張り出す前側縁部４６ａと後側縁部４６ｂをそれぞれ備え、前体２と後体３の閉鎖状態では、これらの側縁部４６ａ、４６ｂが突き合わさる。
【００３３】
ホルダ口部２０、ホルダ首部３０及びホルダ肩部４０において、図６、図１０又は図１２に示すように前体２と後体３との突合せ面４５には、詰替えパック９を挟むための凸リブ部４７と、凸リブ部４７に噛み合う凹溝部４８とが分けて設けられている。凸リブ部４７と凹溝部４８とは、ホルダ口部２０の上端からホルダ肩部４０の円弧部４５ｃまでそれぞれ連続している。
【００３４】
ホルダ胴部５０は、図１〜図５、図７又は図８に示すように、詰替えパック９を周囲（前後左右）から包囲する筒状である。より詳しく言えば、ホルダ胴部５０は、ホルダ肩部４０の外周全周から連続して垂下しており、ホルダ肩部４０の外周部と同様の断面形状をした筒である。但し、ホルダ胴部５０は、上部が、それよりも下側に比べて横幅を広くした形状をしている。
また、ホルダ肩部４０と同様の断面形状を構成する前側部分である円弧状の前胴部５１が前体２に、後側部分である平坦な後胴部５２が後体３にそれぞれ形成されている。この前胴部５１の前辺５１ｃ及び後胴部５２の後辺５２ｄが、前肩部４１の前辺４１ｃ及び後肩部４２の後辺４２ｄと対応する形状をしている。さらに詳しく後胴部５２の断面形状を言えば、左右方向に平坦な直線状部５２ａと、直線状部５２ａの左右端から前側に屈曲するように突出する後胴突合せ壁５２ｂとを備えている。これら後胴突合せ壁５２ｂの端面と前胴部５１の端面が突合せ面４５となる。また、下部において、前胴部５１の端面には、内側を切除したような段差形状の薄肉部５１ｆを有し、一方、後胴突合せ壁５２ｂの端面には薄肉部５１ｆに嵌る突片部５２ｇを突出している。
なお、前胴部５１と後胴部５２の上部には前後に貫通する窓孔５３がそれぞれ形成されており、窓孔５３から詰替えパック９に記載された文字等が視認可能となっている。
【００３５】
また、図７、図１０又は図１２に示すように、ホルダ胴部５０の左右上部には前体２と後体３の閉鎖状態を保持するためのロック部７０がそれぞれ設けられている。
ロック部７０は、雄部７１と雌部７２を前後方向に移動させることによってスナップ式に嵌り合うものである。雄部７１と雌部７２は、前体２と後体３に分けて設けられ、図示の例では、雄部７１が前体２に、雌部７２が後体３にそれぞれ設けられている。
【００３６】
雄部７１は、前体２の後端から後側に延長する幹部７１ａと、幹部７１ａの先部に設けられる楔部７１ｂとから構成される。楔部７１ｂは、幹部７１ａに対して段差状に外側に張り出した後、後側に向かって先細りする形状である。
雌部７２は、楔部７１ｂが出入り可能な挿入孔７２ａを備える枠形状である。枠形状の外側部分が後胴突合せ壁５２ｂから外側に突出しており、内側部分が後胴突合せ壁５２ｂを内側に窪ませることによって形成されている。
雌部７２に対して雄部７１を押し込むと、合成樹脂の弾力性によって雄部７１の楔部７１ｂは瞬間的に内側に移動して雌部７２の挿入孔７２ａを通り抜け、雄部７１の復元力によって、楔部７１ｂと雌部７２とが係止する。また、逆の操作をすれば、係止が解除される。
【００３７】
ホルダ底部６０は、図４、図８又は図９に示すように、ホルダ胴部５０の外周形状と同様の形状の平板である。また、平板の前側部分である半円状の前底部６１と、後側部分である長方形状の後底部６２とが前体２と後体３にはそれぞれ形成されており、前底部６１と後底部６２には両者を一体に繋げる連結片６３が架け渡されている。
連結片６３は薄肉で柔軟性を備えるものであり、その両端が前底部６１と後底部６２の底面に連続して設けられている。連結片６３は、前体２と後体３の閉鎖状態では下側に向かって半円状に膨らむ形状となり、開口状態では略一直線に延びる形状となる。このように、連結片６３が変形することによって前体２と後体３とが一体を保ちながら前後方向に開閉可能となる。
なお、ホルダ底部６０は、連結片６３を設ける箇所を段差状に上向きに窪ませてある。これによって、テーブル等の平面に詰替えパックホルダ１を置いた場合に、連結片６３が平面に干渉せず、安定した設置状態になる。
【００３８】
次に図１５に示す液体噴射ポンプ８について説明する。液体噴射ポンプ８は、市販品（洗剤等が充填されたもの）のボトル状容器の口部に螺合可能なものであって、手動式のポンプである。液体を外部に吐出する操作を基準にして手動式のポンプを分類すると、少なくとも二つのタイプがある。一つは図１５に示すように、ポンプのヘッド８２を下方に押し込むタイプである。もう一つは、図示しないが、レバータイプ、即ち、ポンプのヘッド８２に設けられたレバーを引くタイプである。また、手動式のポンプを、吐出する液体の状態によって分類すると、少なくとも三つのタイプがある。即ち、液状、霧状、又は泡状のタイプである。図中の液体噴射ポンプ８は、液状に液体を吐出するタイプであって、詰替えパック９の底に向かって挿入するホース８１と、ホース８１の上部に連続して設けられるヘッド８２と、ホルダ口部２０に連結するための固定キャップ８３と、固定キャップ８３の上側でヘッド８２を連結するための取付部８４と、ヘッド８２の先部であって中から外部に液体を噴射するノズル８５と、から構成されている。
【００３９】
上述した詰替えパックホルダ１に対して、以下の（１）〜（７）の手順で液体噴射ポンプ８、詰替えパック９が取り付けられる。
（１）図１２（イ）に示すように、詰替えパックホルダ１（前体２と後体３）を前後に開き、詰替えパック９を収容するための準備をする。
（２）図１２（ロ）に示すように、開いた前体２と後体３の一方側、望ましくは前体２に詰替えパック９を入れる。
（３）次いで前体２と後体３を図１３（イ）に示すように閉じ、ロック部７０の雄部７１を雌部７２に嵌め込んで、詰替えパック９の上部をホルダ肩部４０で挟む。このようにすると、軟質袋状の詰替えパック９は、その上部がＵ字状に曲げられた上で、凸リブ部４７と凹溝部４８との間に挟まれ、封止される。なお、図１３（イ）では、詰替えパック９を明確に示すために、詰替えパックホルダ１の各部位を一点鎖線で示してある。
（４）図１３（ロ）に示すように、詰替えパック９の袋口部（上辺部）９２の切り離しが行われる。具体的には、図１４（イ）（ロ）に示すように、ホルダ口部２０の周囲について、袋口部９２を図中の点線に沿ってハサミで切り離す。なお、図１４では、ホルダ口部２０の周囲だけ切り離しているが、詰替えパック９の袋口部９２の全長に亘って切り離しても良い。
（５）図１３（ハ）に示すように、ホルダ口部２０の中で詰替えパック９は、上部切口において前後のシート９１が二枚重なっている状態なので、重なっているシート９１、９１の間に指などを入れて袋開口９３を形成する。
（６）図１５に示すように液体噴射ポンプ８のホース８１を、先の袋開口９３に挿入し、ホルダ口部２０に液体噴射ポンプ８の固定キャップ８３を捩じ込むと、図１６（イ）に示すように、取付けが完了する。
（７）図１６（ロ）に示すように、液体噴射ポンプ８を使用するときには、液体噴射ポンプ８のヘッド８２を回すと、ヘッド８２と取付部８４との連結が解除され、ホース８１に内蔵された図示しないバネの弾性力によってヘッド８２が上方に突出する。ヘッド８２をバネに逆らって押し込むことにより、内溶液がノズル８５から噴射される。
【００４０】
本発明は上記実施形態に限定されない。例えば、詰替えパックホルダ１のホルダ口部２０の外径と、液体噴射ポンプ８の固定キャップ８３の内径とが異なっている場合には、液体噴射ポンプ８が直に取付けられない。このような場合には、図示しないが、円筒状のアダプタを用い、ホルダ口部２０と固定キャップ８３との間にアダプタを介在させることによって、取付けを可能とするものであっても良い。
【００４１】
また、例えば、詰替えパックホルダ１は、ホルダ首部３０の無い形状であってもよく、この場合、ホルダ肩部４０の上にホルダ口部２０が連続して設けられる。なお、パック挟持部４３は、平面視してＵ字状に湾曲しているが、それ以外に前後に湾曲していても良い。
【符号の説明】
【００４２】
１詰替えパックホルダ
２前体
３後体
２０ホルダ口部
２１前口部、２２後口部、２３張出部
３０ホルダ首部
４０ホルダ肩部
４１前肩部、４１ｃ前辺
４２後肩部、４２ｄ後辺
４３パック挟持部、４３ａ前挟持部、４３ｂ後挟持部
４４隠蔽部、４４ａ前隠蔽部、４４ｂ後隠蔽部
４５突合せ面、４５ａ横延び部、４５ｂ縦延び部、４５ｃ円弧部
４６ａ前側縁部、４６ｂ後側縁部
４７凸リブ部
４８凹溝部
５０ホルダ胴部
５１前胴部、５１ｃ前辺、５１ｆ薄肉部
５２後胴部、５２ａ直線状部、５２ｂ後胴突合せ壁、５２ｄ後辺、５２ｇ突片部
５３窓孔
６０ホルダ底部
６１前底部、６２後底部、６３連結片
７０ロック部
７１雄部
７１ａ幹部、７１ｂ楔部
７２雌部、７２ａ挿入孔
８液体噴射ポンプ
８１ホース、８２ヘッド、８３固定キャップ、８４取付部、８５ノズル
９詰替えパック、９１シート、９２袋口部、９３袋開口
【図１】
0005650502.tif 000002
【図２】
0005650502.tif 000003
【図３】
0005650502.tif 000004
【図４】
0005650502.tif 000005
【図５】
0005650502.tif 000006
【図６】
0005650502.tif 000007
【図７】
0005650502.tif 000008
【図８】
0005650502.tif 000009
【図９】
0005650502.tif 000010
【図１０】
0005650502.tif 000011
【図１１】
0005650502.tif 000012
【図１２】
0005650502.tif 000013
【図１３】
0005650502.tif 000014
【図１４】
0005650502.tif 000015
【図１５】
0005650502.tif 000016
【図１６】
0005650502.tif 000017